(57)【特許請求の範囲】
【請求項１】
アクセスコントローラＡＣが、第１のアクセスポイントＡＰから第２のＡＰにローミングされる目標ＳＴＡを確定することと、
前記ＡＣが、前記目標ＳＴＡを前記第１のＡＰから前記第２のＡＰにローミングさせるように、前記目標ＳＴＡを制御して前記第１のＡＰの動作チャネルから前記第２のＡＰの動作チャネルへ切り替えさせることと、
を含み、
前記第１のアクセスポイントＡＰから前記第２のＡＰにローミングされる目標ＳＴＡを確定することは、
前記第１のＡＰが第１の条件を満たし、かつ、前記第１のＡＰと隣接する前記第２のＡＰが第２の条件を満たすと検出した場合、前記ＡＣは、前記第１のＡＰに現在接続されているＳＴＡから、前記第２のＡＰにローミングされる前記目標ＳＴＡを選出することを含み、
そのうち、前記第１の条件は、前記第１のＡＰに現在接続されているＳＴＡの数が設定閾値より大きいこと及び前記第１のＡＰの現在の平均負荷が設定負荷より大きいことのうちのいずれか一つ以上を含み、
前記第２の条件は、前記第２のＡＰに現在接続されているＳＴＡの数が設定閾値より小さく、且つ前記第２のＡＰの現在の平均負荷が設定負荷より小さいことを含み、
前記第１のＡＰに現在接続されているＳＴＡから、前記第２のＡＰにローミングされる前記目標ＳＴＡを選出することは、
前記ＡＣは、前記第２のＡＰによって送信された無線リソース管理ＲＲＭ情報に基づいて第２のＡＰの低関連ＳＴＡリストを確定し、前記第２のＡＰの低関連ＳＴＡリストに、前記第２のＡＰによって検出された信号強度がデフォルト信号強度Ｐより弱いＳＴＡを記録していることと、
前記ＡＣは、所在する無線ローカルエリアネットワークＷＬＡＮ内の複数のＡＰによって送信されたＲＲＭ情報に基づいて、前記第１のＡＰに現在接続されているＳＴＡの関連ＡＰリストを確定し、前記ＳＴＡの関連ＡＰリストに、前記ＳＴＡに対し検出された信号強度が前記デフォルト信号強度Ｐより強いＡＰを記録していることと、
前記ＡＣは、前記第２のＡＰの低関連ＳＴＡリスト及び前記ＳＴＡの関連ＡＰリストに基づいて、前記ＳＴＡが前記目標ＳＴＡであるか否かを判断することと、
を含む無線端末ＳＴＡのローミング方法。
【請求項２】
前記第２のＡＰの低関連ＳＴＡリスト及び前記ＳＴＡの関連ＡＰリストに基づいて、前記ＳＴＡが前記目標ＳＴＡであるか否かを判断することは、
このＳＴＡが前記第２のＡＰの低関連ＳＴＡリストに存在しておらず、かつ、このＳＴＡの関連ＡＰリストに前記第２のＡＰが存在しているが前記第１のＡＰが存在しない場合、前記ＡＣは、このＳＴＡが前記第１のＡＰから前記第２のＡＰにローミングされる目標ＳＴＡであると確定すること、
を含むことを特徴とする請求項１に記載の方法。
【請求項３】
前記第２のＡＰによって送信されたＲＲＭ情報に基づいて、前記第２のＡＰの低関連ＳＴＡリストを確定することは、
前記第２のＡＰによって送信されたＲＲＭ情報に基づいて、Ｎｔ個のＳＴＡに対し前記第２のＡＰによって検出された信号強度のいずれも前記デフォルト信号強度Ｐより弱いと確定した場合、前記ＡＣは、前記Ｎｔ個のＳＴＡから信号強度が最も弱いＮｍａｘ個のＳＴＡを選択して前記第２のＡＰの低関連ＳＴＡリストに記録し、ただし、Ｎｔ＞Ｎｍａｘであること、
を含むことを特徴とする請求項１に記載の方法。
【請求項４】
前記ＷＬＡＮ内の複数のＡＰによって送信されたＲＲＭ情報に基づいて、前記ＳＴＡの関連ＡＰリストを確定することは、
前記ＷＬＡＮ内の複数のＡＰによって送信されたＲＲＭ情報に基づいて、Ｍｔ個のＡＰにより前記ＳＴＡに対し検出された信号強度のいずれも前記デフォルト信号強度Ｐより強いと確定した場合、前記ＡＣは、前記Ｍｔ個のＡＰから信号強度が最も強いＭｍａｘ個のＡＰを選択して前記ＳＴＡの関連ＡＰリストに記録し、ただし、Ｍｔ＞Ｍｍａｘであること、
を含むことを特徴とする請求項１に記載の方法。
【請求項５】
前記目標ＳＴＡを制御して前記第１のＡＰの動作チャネルから前記第２のＡＰの動作チャネルへ切り替えさせることは、
前記第２のＡＰに接続され且つ前記ＡＣに認証されたＳＴＡの数が設定閾値と１との差より小さく、かつ前記第２のＡＰの現在の平均負荷が設定負荷とこの目標ＳＴＡの負荷との差より小さいと検出した場合、前記ＡＣは、この目標ＳＴＡを制御して前記第１のＡＰの動作チャネルから前記第２のＡＰの動作チャネルへ切り替えさせること、
を含むことを特徴とする請求項１に記載の方法。
【請求項６】
前記目標ＳＴＡを制御して前記第１のＡＰの動作チャネルから前記第２のＡＰの動作チャネルへ切り替えさせることは、
前記第１のＡＰが前記目標ＳＴＡに指示して前記第１のＡＰの動作チャネルから第２のＡＰの動作チャネルへ切り替えるように、前記ＡＣは、前記第１のＡＰに第１のパケットを送信することと、
前記ＡＣは、前記第２のＡＰに第２のパケットを送信することで、前記第２のＡＰに、第２のパケットに載せられた前記目標ＳＴＡに関連するサービスセット識別子ＳＳＩＤと、前記目標ＳＴＡが現在接続している前記第１のＡＰの識別子と、前記目標ＳＴＡが接続しようとする前記第２のＡＰの識別子とによって、前記目標ＳＴＡが前記第１のＡＰの動作チャネルから前記第２のＡＰの動作チャネルへ切り替えることを受け入れさせることと、
を含むことを特徴とする請求項１に記載の方法。
【請求項７】
無線端末ＳＴＡのローミングを実現する装置であって、アクセスコントローラＡＣに適用されるものであり、
第１のアクセスポイントＡＰから第２のＡＰにローミングされる目標ＳＴＡを確定するための選択モジュールと、
前記目標ＳＴＡを前記第１のＡＰから前記第２のＡＰにローミングさせるように、前記目標ＳＴＡを制御して第１のＡＰの動作チャネルから第２のＡＰの動作チャネルへ切り替えさせるための制御モジュールと、を備え、
前記選択モジュールは、
前記第１のＡＰが第１の条件を満たし、かつ前記第１のＡＰと隣接する前記第２のＡＰが第２の条件を満たすと検出した場合、前記第１のＡＰに現在接続されているＳＴＡから、前記第２のＡＰにローミングされる前記目標ＳＴＡを選出するように構成され、
そのうち、前記第１の条件は、前記第１のＡＰに現在接続されているＳＴＡの数が設定閾値より多いこと及び前記第１のＡＰの現在の平均負荷が設定負荷より大きいことのうちいずれか一つ以上を含み、
前記第２の条件は、前記第２のＡＰに現在接続されているＳＴＡの数が設定閾値より小さく、かつ前記第２のＡＰの現在の平均負荷が設定負荷より小さいことを含み、
前記第２のＡＰによって送信された無線リソース管理ＲＲＭ情報に基づいて第２のＡＰの低関連ＳＴＡリストを確定すると共に、前記ＡＣの所在する無線ローカルエリアネットワークＷＬＡＮ内の複数のＡＰによって送信されたＲＲＭ情報に基づいて、前記第１のＡＰに現在接続されているＳＴＡの関連ＡＰリストを確定するためのリスト処理モジュールをさらに備え、
そのうち、前記第２のＡＰの低関連ＳＴＡリストに、前記第２のＡＰによって検出された信号強度がデフォルト信号強度Ｐより弱いＳＴＡを記録しており、
前記ＳＴＡの関連ＡＰリストに、前記ＳＴＡに対し検出された信号強度がデフォルト信号強度Ｐより強いＡＰを記録しており、
前記選択モジュールは、前記第２のＡＰの低関連ＳＴＡリスト及び前記ＳＴＡの関連ＡＰリストに基づいて、前記ＳＴＡが前記目標ＳＴＡであるか否かを判断するよう構成される
装置。
【請求項８】
前記選択モジュールは、
このＳＴＡが前記第２のＡＰの低関連ＳＴＡリストに存在しておらず、かつ、このＳＴＡの関連ＡＰリストに前記第２のＡＰが存在しているが前記第１のＡＰが存在しない場合、このＳＴＡが前記第１のＡＰから前記第２のＡＰにローミングされる目標ＳＴＡであると確定するように構成される、
ことを特徴とする請求項７に記載の装置。
【請求項９】
前記制御モジュールは、
前記第２のＡＰに接続され且つ前記ＡＣに認証されたＳＴＡの数が設定閾値と１との差より小さく、かつ前記第２のＡＰの現在の平均負荷が設定負荷とこの目標ＳＴＡの負荷との差より小さいことが検出した場合、この目標ＳＴＡを制御して前記第１のＡＰの動作チャネルから前記第２のＡＰの動作チャネルへ切り替えさせるように構成される、
ことを特徴とする請求項７に記載の装置。
【請求項１０】
前記制御モジュールは、
前記第１のＡＰが前記目標ＳＴＡに指示して前記第１のＡＰの動作チャネルから第２のＡＰの動作チャネルへ切り替えるように、前記第１のＡＰに第１のパケットを送信し、
前記第２のＡＰに第２のパケットを送信することで、前記第２のＡＰに、第２のパケットに載せられた前記目標ＳＴＡに関連するサービスセット識別子ＳＳＩＤと、前記目標ＳＴＡが現在接続している前記第１のＡＰの識別子と、前記目標ＳＴＡが接続しようとする前記第２のＡＰの識別子とによって、前記目標ＳＴＡが前記第１のＡＰの動作チャネルから前記第２のＡＰの動作チャネルへ切り替えることを受け入れさせるように構成される、
ことを特徴とする請求項７に記載の装置。
【請求項１１】
機械可読命令を記憶している不揮発性機械可読記憶媒体と、
機械可読命令を実行することで、第１のアクセスポイントＡＰから第２のＡＰにローミングされる目標ＳＴＡを確定するとともに、前記目標ＳＴＡを前記第１のＡＰから第２のＡＰへローミングさせるように、前記目標ＳＴＡを制御して第１のＡＰの動作チャネルから第２のＡＰの動作チャネルへ切り替えさせるためのプロセッサと、
を備え、
前記第１のアクセスポイントＡＰから前記第２のＡＰにローミングされる目標ＳＴＡを確定することは、
前記第１のＡＰが第１の条件を満たし、かつ、前記第１のＡＰと隣接する前記第２のＡＰが第２の条件を満たすと検出した場合、前記第１のＡＰに現在接続されているＳＴＡから、前記第２のＡＰにローミングされる前記目標ＳＴＡを選出することを含み、
そのうち、前記第１の条件は、前記第１のＡＰに現在接続されているＳＴＡの数が設定閾値より大きいこと及び前記第１のＡＰの現在の平均負荷が設定負荷より大きいことのうちのいずれか一つ以上を含み、
前記第２の条件は、前記第２のＡＰに現在接続されているＳＴＡの数が設定閾値より小さく、且つ前記第２のＡＰの現在の平均負荷が設定負荷より小さいことを含み、
前記第１のＡＰに現在接続されているＳＴＡから、前記第２のＡＰにローミングされる前記目標ＳＴＡを選出することは、
前記第２のＡＰによって送信された無線リソース管理ＲＲＭ情報に基づいて第２のＡＰの低関連ＳＴＡリストを確定し、前記第２のＡＰの低関連ＳＴＡリストに、前記第２のＡＰによって検出された信号強度がデフォルト信号強度Ｐより弱いＳＴＡを記録していることと、
所在する無線ローカルエリアネットワークＷＬＡＮ内の複数のＡＰによって送信されたＲＲＭ情報に基づいて、前記第１のＡＰに現在接続されているＳＴＡの関連ＡＰリストを確定し、前記ＳＴＡの関連ＡＰリストに、前記ＳＴＡに対し検出された信号強度が前記デフォルト信号強度Ｐより強いＡＰを記録していることと、
前記第２のＡＰの低関連ＳＴＡリスト及び前記ＳＴＡの関連ＡＰリストに基づいて、前記ＳＴＡが前記目標ＳＴＡであるか否かを判断することと、
を含む、アクセスコントローラＡＣ。
【請求項１２】
機械実行可能な命令を記憶しており、前記機械実行可能な命令は、プロセッサによって呼び出され実行されると、プロセッサに、
第１のアクセスポイントＡＰから第２のＡＰにローミングされる目標ＳＴＡを確定することと、
前記目標ＳＴＡを前記第１のＡＰから第２のＡＰへローミングさせるように、前記目標ＳＴＡを制御して第１のＡＰの動作チャネルから第２のＡＰの動作チャネルの切り替えさせることと、を実行させ、
前記第１のアクセスポイントＡＰから前記第２のＡＰにローミングされる目標ＳＴＡを確定することは、
前記第１のＡＰが第１の条件を満たし、かつ、前記第１のＡＰと隣接する前記第２のＡＰが第２の条件を満たすと検出した場合、前記第１のＡＰに現在接続されているＳＴＡから、前記第２のＡＰにローミングされる前記目標ＳＴＡを選出することを含み、
そのうち、前記第１の条件は、前記第１のＡＰに現在接続されているＳＴＡの数が設定閾値より大きいこと及び前記第１のＡＰの現在の平均負荷が設定負荷より大きいことのうちのいずれか一つ以上を含み、
前記第２の条件は、前記第２のＡＰに現在接続されているＳＴＡの数が設定閾値より小さく、且つ前記第２のＡＰの現在の平均負荷が設定負荷より小さいことを含み、
前記第１のＡＰに現在接続されているＳＴＡから、前記第２のＡＰにローミングされる前記目標ＳＴＡを選出することは、
前記第２のＡＰによって送信された無線リソース管理ＲＲＭ情報に基づいて第２のＡＰの低関連ＳＴＡリストを確定し、前記第２のＡＰの低関連ＳＴＡリストに、前記第２のＡＰによって検出された信号強度がデフォルト信号強度Ｐより弱いＳＴＡを記録していることと、
所在する無線ローカルエリアネットワークＷＬＡＮ内の複数のＡＰによって送信されたＲＲＭ情報に基づいて、前記第１のＡＰに現在接続されているＳＴＡの関連ＡＰリストを確定し、前記ＳＴＡの関連ＡＰリストに、前記ＳＴＡに対し検出された信号強度が前記デフォルト信号強度Ｐより強いＡＰを記録していることと、
前記第２のＡＰの低関連ＳＴＡリスト及び前記ＳＴＡの関連ＡＰリストに基づいて、前記ＳＴＡが前記目標ＳＴＡであるか否かを判断することと、
を含む不揮発性機械可読記憶媒体。
【発明の詳細な説明】
【関連出願の相互参照】
【０００１】
本願は、２０１７年６月１３日に提出された出願番号が２０１７１０４４１５４６．４であり、発明の名称が「無線端末ＳＴＡのローミングの方法及び装置」である中国特許出願を優先権として主張し、当該出願の全内容を本願の一部として援用している。
【背景技術】
【０００２】
本発明は無線端末ＳＴＡ（ＳＴＡ：Ｓｔａｔｉｏｎ）のローミングに関する。
【０００３】
無線ローカルエリアネットワーク（ＷＬＡＮ：ＷｉｒｅｌｅｓｓＬｏｃａｌＡｒｅａＮｅｔｗｏｒｋ）では、複数のアクセスポイント（ＡＰ：ＡｃｃｅｓｓＰｏｉｎｔ）を配置することにより、ＷＬＡＮ内のいずれかのＳＴＡがアクセス及び通信を完成可能なことを保証できる。
【０００４】
ＷＬＡＮでは、ＡＰは、無線ユーザーからローカルエリアネットワークへのブリッジング機能を提供し、ＳＴＡとＷＬＡＮとの間で無線から有線へのフレーム変換及び有線から無線へのフレーム変換を行う。隣接するＡＰは、これらのＡＰに接続されるＳＴＡが通信時に互いに影響を及ぼさないように、異なるチャネルで動作する。例えば、仮に、ＷＬＡＮ内で第１のＡＰと第２のＡＰが隣接し、第１のＡＰと第２のＡＰが８０２．１１ａ（８０２．１１ｎ／８０２．１１ａｃ）周波数帯域で動作するとする。この場合、８０２．１１ａで使用される帯域幅の設定によって、第１のＡＰはチャネル１４９で動作し、第２のＡＰはチャネル３６で動作し、あるいは、第１のＡＰはチャネル１で動作し、第２のＡＰはチャネル６で動作するなどである。
【図面の簡単な説明】
【０００５】
ここで、図面は明細書に組み込まれ、本明細書の一部を構成し、本開示に係る実施例を示し、明細書と共に本開示の原理の説明に用いられる。
【図１】図１は本願に係るネットワークアプリケーションの模式図である。
【図２】図２Ａ〜２Ｃは本願に係る方法のフローチャートの模式図である。
【図３】図３は本願に係る実施例に適用されるネットワークの模式図である。
【図４】図４は本願に係るチャネル切替セルの模式図である。
【図５】図５は本願に係る装置の構成の模式図である。
【図６】図６は図５に示す本願に係る装置のハードウェア構成の模式図である。
【発明を実施するための形態】
【０００６】
ＷＬＡＮでは、あるＡＰに多数のＳＴＡが接続されるが、その隣接するＡＰに比較的少数のＳＴＡが接続されることが発生し得る。例えば、図１に示すように、ＡＰ１１１がＡＰ１１２と隣接し、ＡＰ１１１にＳＴＡ１２０−１からＳＴＡ１２０−Ｎ１までの合計Ｎ１個のＳＴＡを接続しているが、ＡＰ１１２にただ一個のＳＴＡ、即ちＳＴＡ１２０−０を接続している。ＡＰ１１１に接続されたＳＴＡの数が比較的多いため、帯域幅リソースが不十分になる可能性があり、接続された複数のＳＴＡ間で帯域幅の競合が発生する。一方、ＡＰ１２２に接続されたＳＴＡの数が比較的少ないため、多くの帯域幅リソースがアイドル状態にある可能性がある。
【０００７】
実際の適用では、一つのＳＴＡが一つのＡＰに接続される時に、信号強度が比較的弱いが、このＳＴＡが隣接するＡＰに切り替えられる時に、信号強度が良くなる可能性がある。例えば、ＳＴＡ１２０−３がＡＰ１１１とＡＰ１１２の信号カバレッジ重複領域に位置する場合、ＳＴＡ１２０−３がＡＰ１１１からＡＰ１１２に切り替えられたら、信号強度がより良くなる可能性がある。あるいは、最初にＡＰ１１１との距離が近いためＡＰ１１１に接続されたＳＴＡ１２０−１は、その後、移動によりＡＰ１１２の信号カバレッジ領域に移動してもまだＡＰ１１１に接続されている。もしＡＰ１１１からＡＰ１１２に切り替えられたら、即ち、ＡＰ１１１からＡＰ１１２にローミングされたら、信号効果がより良くなる可能性がある。
【０００８】
しかし、従来では、ＳＴＡプログラムの実現に関する原因で、ほとんど全てのＳＴＡは、いずれも、元のＡＰに接続される信号強度がある程度まで弱いと、隣接するＡＰへ自発的にローミンされる。図１に示すＳＴＡ１２０−１のように、この時にＳＴＡ１２０−１は、ＡＰ１１２に接続される信号強度がＡＰ１１１に接続される信号強度よりも強い場合でも、ＡＰ１１１に接続される信号強度がある程度まで弱くなる前に、自発的にＡＰ１１２にローミングしない。
【０００９】
これに基づいて、本願は、ＳＴＡ通信に影響を与えない場合、チャネル切替により、ローミングされる目標ＳＴＡをより良いサービスを提供可能な隣接するＡＰに関連付けることで、隣接するＡＰ間の負荷を効果的にバランスさせることができるＳＴＡのローミング方法を提供する。
【００１０】
図２Ａを参照すると、図２Ａは本願に係る方法のフローチャートである。このフローはアクセスコントローラ（ＡＣ：ＡｃｃｅｓｓＣｏｎｔｒｏｌｌｅｒ）に適用され、ＡＣはＷＬＡＮ内の全てのＡＰに対する制御及び管理を行い、認証サーバーとの対話によってＳＴＡ認証を完成するために用いられる。
【００１１】
図２Ａに示すように、このフローは以下のステップを含む。
【００１２】
ステップ２０１では、ＡＣは、第１のＡＰから第２のＡＰにローミングされる目標ＳＴＡを確定する。
【００１３】
本願では、第１のＡＰと第２のＡＰは隣接するＡＰであり、第１のＡＰ又は第２のＡＰは、あるＡＰを特に指すことではなく、ただ２つの隣接するＡＰを区別するために命名されるが、制限的なものではない。
【００１４】
一実施例として、ＡＣは、第１のＡＰに現在接続されているＳＴＡから、第２のＡＰにローミングされる目標ＳＴＡを選出する。例えば、ＡＣは、前記第１のＡＰが第１の条件を満たし、かつ第１のＡＰと隣接する第２のＡＰが第２の条件を満たすと検出した場合、第１のＡＰに現在接続されているＳＴＡから、第２のＡＰにローミングされる目標ＳＴＡを選出する。
【００１５】
第１の条件は、第１のＡＰに現在接続され且つこのＡＣに認証されたＳＴＡの数が設定閾値より大きいこと、及び／又は第１のＡＰの現在の負荷が設定負荷より大きいことである。ここでは、第１のＡＰの現在の負荷は第１のＡＰの現在の平均負荷である。
【００１６】
第２の条件は、第２のＡＰに現在接続され且つこのＡＣに認証されたＳＴＡの数が設定閾値より小さく、且つ第２のＡＰの現在の負荷が設定負荷より小さいことである。ここでは、第２のＡＰの現在の負荷は第２のＡＰの現在の平均負荷である。
【００１７】
そのうち、前記設定閾値と設定負荷は、業務のニーズに応じてスタマイズ可能であるが、本願では特別に限定されない。
【００１８】
前記第１のＡＰが第１の条件を満たし、かつ第１のＡＰと隣接する第２のＡＰが第２の条件を満たすと検出した時に、第１のＡＰに現在接続されているＳＴＡから、第２のＡＰにローミングされる目標ＳＴＡをどうのように選出するかについては、以下、具体的に詳述する。
【００１９】
ステップ２０２では、ＡＣが、前記目標ＳＴＡを第１のＡＰから第２のＡＰにローミングさせるように、前記目標ＳＴＡを制御して、第１のＡＰの動作チャネルから第２のＡＰの動作チャネルへ切り替えさせる。
【００２０】
本願では、ＡＣが前記目標ＳＴＡを制御して第１のＡＰの動作チャネルから第２のＡＰの動作チャネルへ切り替えさせることは、具体的には以下のことを含む。
【００２１】
各目標ＳＴＡに対し、第２のＡＰが第３の条件を満たすことを検出した場合、この目標ＳＴＡを制御して第１のＡＰの動作チャネルから第２のＡＰの動作チャネルへ切り替えさせる。そのうち、この第３の条件は、第２のＡＰに現在接続され且つＡＣに認証されたＳＴＡの数が、設定閾値と１との差より小さく、かつ第２のＡＰの現在の平均負荷が、設定負荷とこの目標ＳＴＡの負荷との差より小さいことである。第３の条件を検出することにより、ＳＴＡが第２のＡＰにローミングされた後、信号強度を高めることができ、かつ第２のＡＰがこのＳＴＡの新たな追加接続によりその自身の負荷許容範囲を超えないように確保できる。
【００２２】
ＡＣは、前記第２のＡＰが第３の条件を満たすことを検出した時に、どのようにこの目標ＳＴＡを制御して第１のＡＰの動作チャネルから第２のＡＰの動作チャネルへ切り替えさせるかについて、具体的には、図２Ｂに示すように、ステップ２０２ａ１とステップ２０２ａ２とを含む。
【００２３】
ステップ２０２ａ１では、第１のＡＰが目標ＳＴＡに指示して第１の動作チャネルから第２の動作チャネルへ切り替えるように、ＡＣは、第１のＡＰに第１のパケットを送信する。
【００２４】
一実施例として、第１のＡＰは、ＡＣによって送信された第１のパケットを受信すると、目標ＳＴＡにチャネル切替パケットを送信することで、目標ＳＴＡの第１の動作チャネルから第２の動作チャネルへの切り替えを指示する。目標ＳＴＡはチャネル切替パケットを受信した後、動作チャネルを第１の動作チャネルから第２の動作チャネルに切り替える操作を開始する。
【００２５】
一実施例として、ここでいう第１のパケットは、ＷＬＡＮ内のプローブ応答（Ｐｒｏｂｅ−ｒｅｓｐｏｎｓｅ）フレームであってもよく、拡張によって、チャネルの切替を指示するためのセルを追加する。この追加されるセルは少なくとも第１の動作チャネルの識別子と第２の動作チャネルの識別子などを含む。
【００２６】
ステップ２０２ａ２では、ＡＣは、第２のＡＰに第２のパケットを送信することで、第２のＡＰに、第２のパケットに載せられた目標ＳＴＡに関連するサービスセット識別子（ＳＳＩＤ：ＳｅｒｖｉｃｅＳｅｔＩｄｅｎｔｉｆｉｃａｔｉｏｎ）と、目標ＳＴＡが現在接続している第１のＡＰの識別子と、目標ＳＴＡが接続しようとする第２のＡＰの識別子とによって、目標ＳＴＡが第１のＡＰの動作チャネルから第２のＡＰの動作チャネルへ切り替えることを受け入れさせる。
【００２７】
一実施例として、第２のパケットは目標ＳＴＡに関連するＢＳＳＩＤを載せてもよい。この場合に、第２のＡＰは、第２のパケットによって、目標ＳＴＡに関連するＢＳＳＩＤと、目標ＳＴＡに関連するＳＳＩＤと、目標ＳＴＡが現在接続している第１のＡＰの識別子と、目標ＳＴＡが接続しようとする第２のＡＰの識別子とを取得した後、取得したＢＳＳＩＤを使って、目標ＳＴＡにユニキャストフレーム（Ｂｅａｃｏｎ）パケットを送信する。このようにして、このユニキャストフレームパケットに応答して、目標ＳＴＡは、前記した動作チャネルを第１の動作チャネルから第２の動作チャネルに切り替える過程において、自発的に前記ＳＳＩＤに関連付け、最終的に目標ＳＴＡの第１の動作チャネルから第２の動作チャネルへの切り替えを実現する。
【００２８】
一実施例として、ここでいう第２のパケットは、無線アクセスポイントの制御及びプロビジョニング（ＣＡＰＷＡＰ：Ｃｏｎｔｒｏｌｌｉｎｇ  ａｎｄ  Ｐｒｏｖｉｓｉｏｎ  ｏｆ  Ｗｉｒｅｌｅｓｓ  Ａｃｃｅｓｓ  Ｐｏｉｎｔ）のパケットであり、目標ＳＴＡの識別子と、目標ＳＴＡに関連するＢＳＳＩＤやＳＳＩＤと、目標ＳＴＡが現在接続している第１のＡＰの識別子と、目標ＳＴＡが接続しようとする第２のＡＰの識別子とを少なくとも載せる。
【００２９】
ステップ２０２ａ１とステップ２０２ａ２によって、目標ＳＴＡを制御して第１のＡＰの動作チャネルから第２のＡＰの動作チャネルへ切り替えさせることができ、間接的にＳＴＡのローミングを実現する。
【００３０】
ここまで、図２Ａに示すフローが完成した。図２Ａに示すフローから分かるように、本願では、ＳＴＡ通信に影響を与えない前提で隣接するＡＰの間でＳＴＡに動作チャネルを切り替えさせることで、ＳＴＡをより良いサービスを提供できるＡＰにローミングさせ、これにより隣接するＡＰ間の負荷を効果的に調整し、さらにＷＬＡＮのネットワークの堅牢性を効果的に高めることができる。
【００３１】
一実施例として、ＡＣは、第１のＡＰが第１の条件を満たし、かつ第１のＡＰと隣接する第２のＡＰが第２の条件を満たすことを検出した時に、第１のＡＰに現在接続されているＳＴＡから第２のＡＰにローミングされる目標ＳＴＡを選出することを実現するために、図２Ａに示すフローを実行する前に、図２Ｃに示すステップ２０３とステップ２０４をさらに実行することできる。
【００３２】
ステップ２０３では、ＡＰによって送信された無線リソース管理（ＲＲＭ：ＲａｄｉｏＲｅｓｏｕｒｃｅＭａｎａｇｅｍｅｎｔ）情報に基づいて、このＡＰの低関連ＳＴＡリストを確定する。ここで、ＡＰの低関連ＳＴＡリストに、このＡＰによって検出された信号強度のデフォルト信号強度Ｐより弱いＮ個のＳＴＡが記録されている。一実施例として、ＡＰの低関連ＳＴＡリストに記録されたＳＴＡの数Ｎは有限である。例えば、Ｎは最大でも指定値Ｎｍａｘを超えてはならない。つまり、デフォルト信号強度ＰよりもＡＰによって検出された信号強度の弱いＳＴＡの数ＮｔがＮｍａｘより大きくても、Ｎｔ個のＳＴＡの全てをＡＰの低関連ＳＴＡリストに記録することではなく、Ｎｔ個のＳＴＡを信号強度の小さい順に並び替え、序列での最初のＮｍａｘ個のＳＴＡを選択してＡＰの低関連ＳＴＡリストに記録する。
【００３３】
ステップ２０４では、各ＡＰによって検出されたＳＴＡの信号強度に基づいて、該ＳＴＡの関連ＡＰリストを確定する。ここで、ＡＰによって検出された信号強度がデフォルト信号強度Ｐより強いと、このＡＰをこのＳＴＡに関連するＡＰとしてこのＳＴＡの関連ＡＰリストに記録する。そのうち、ＳＴＡの関連ＡＰリストに記録されるＡＰの数Ｍは有限である。例えば、Ｍは最大でも指定値Ｍｍａｘを超えてはならない。つまり、Ｍｔ（Ｍより大きい）個のＡＰによって検出されたＳＴＡの信号強度のいずれもデフォルト信号強度Ｐより強くても、これらＭｔ個のＡＰをこのＳＴＡに関連するＡＰとしてこのＳＴＡの関連ＡＰリストに記録することではなく、これらＭｔ個のＡＰを、検出された信号強度の大きい順に並び替え、最初のＭｍａｘ個のＡＰを選択してこのＳＴＡに関連するＡＰとしてこのＳＴＡの関連ＡＰリストに記録する。一実施例としては、前記デフォルト信号Ｐは必要に応じて設定してもよい。
【００３４】
これに基づいて、第１のＡＰに現在接続されているＳＴＡからローミングされる目標ＳＴＡを選出することは、第１のＡＰに現在接続されているＳＴＡが第２のＡＰの低関連ＳＴＡリストに存在しておらず、かつこのＳＴＡの関連ＡＰリストに第２のＡＰが存在しているが、第１のＡＰが存在しない場合、このＳＴＡが目標ＳＴＡであると確定することを含む。
【００３５】
以下、一つの具体的な実施例によって、図２Ａ〜２Ｃに示すフローを説明する。図３を参照すると、図３は本願に係る実施例に適用されるネットワークの図である。図３には、２つの隣接するＡＰであるＡＰ３３１＿１とＡＰ３３１＿２のみを示している。
【００３６】
図３では、ＡＰ３３１＿１にＳＴＡ３４０＿１と、ＳＴＡ３４０＿２と、ＳＴＡ３４０＿４と… ＳＴＡ３４０＿１０との合計１０個のＳＴＡを接続し、ＡＰ３３１＿２にただ１つのＳＴＡ、即ちＳＴＡ３４０＿１１を接続している。
【００３７】
図３では、ＡＰ３３１＿１は設定周期でＲＲＭ情報を送信し、ＡＰ３３１＿１によって送信されるＲＲＭ情報は、ＡＰ３３１＿１に現在接続されているＳＴＡの総数、即ち１０と、本周期内でＡＰ３３１＿１を経由するデータトラフィックと、ＡＰ３３１＿１の動作チャネルと、ＡＰ３３１＿１に現在接続されている各ＳＴＡの信号強度とを少なくとも含む。そのうち、本周期内でＡＰ３３１＿１を経由するデータトラフィックは、現在接続されている各ＳＴＡからＡＰ３３１＿１へ送信されたデータトラフィックと、ＡＣ３１０からＡＰ３３１＿１に現在接続されている各ＳＴＡへ送信されたデータトラフィックとを含む。
【００３８】
ＡＣ３１０はＩＰネットワーク３２０を介してＡＰ３３１＿１によって送信されたＲＲＭ情報を受信する。
【００３９】
ＡＣ３１０はＡＰ３３１＿１によって送信されたＲＲＭ情報に基づいて、ＡＰ３３１＿１に関する以下の情報を確定する。ＡＰ３３１＿１に現在接続されているＳＴＡの総数、即ち１０と、本周期内でＡＰ３３１＿１を経由するデータトラフィックによって確定されたＡＰ３３１＿１の負荷と、ＡＰ３３１＿１の動作チャネルとを含む。
【００４０】
ＡＰ３３１＿１の低関連ＳＴＡリストに、ＡＰ３３１＿１によって検出された信号強度のデフォルト信号強度Ｐより弱いＳＴＡが記録されている。なお、ＡＰ３３１＿１の低関連ＳＴＡリストに記録されているＳＴＡの数Ｎは有限であり、例えばＮｍａｘ個に制限される。このように、デフォルト信号強度ＰよりＡＰ３３１＿１によって検出された信号強度の弱いＳＴＡの数ＮｔがＮｍａｘより大きいと、ＡＰ３３１＿１のＮｔ個のＳＴＡを、信号強度の小さい順に並び替え、序列での最初のＮｍａｘ個のＳＴＡを選択してＡＰ３３１＿１の低関連ＳＴＡリストに記録する。しかし、ＮｔがＮｍａｘ以下であると、Ｎｔ個のＳＴＡをＡＰ３３１＿１の低関連ＳＴＡリストに直接的に記録する。
【００４１】
仮に、ＡＰ３３１＿１によって検出された信号強度がデフォルト信号強度Ｐより弱いＳＴＡ３４０＿１、ＳＴＡ３４０＿２を一例とすると、表１にＡＰ３３１＿１の低関連ＳＴＡリストを示す。
【表１】
0006974603.tif 000002
【００４２】
同様に、ＡＰ３３１＿２も、設定周期でＲＲＭ情報を送信し、ＡＰ３３１＿２によって送信されたＲＲＭ情報は、ＡＰ３３１＿２に現在接続されているＳＴＡの総数、即ち１と、本周期内でＡＰ３３１＿２を経由するデータトラフィック（ＡＰ３３１＿２に現在接続されているＳＴＡ３４０＿１１からＡＰ３３１＿２に送信されたデータトラフィック及びＡＣ３１０からＳＴＡ３４０＿１１に送信されたデータトラフィックとを含む）と、ＡＰ３３１＿２の動作チャネルと、ＳＴＡ３４０＿１１の信号強度とを少なくとも含む。
【００４３】
ＡＣ３１０はＩＰネットワーク３２０を介してＡＰ３３１＿２によって送信されたＲ  ＲＭ情報を受信する。
【００４４】
ＡＣ３１０はＡＰ３３１＿２によって送信されたＲＲＭ情報に基づいて、ＡＰ３３１＿２関連する以下の情報を確定する。ＡＰ３３１＿２に現在接続されているＳＴＡの総数、即ち１と、本周期内でＡＰ３３１＿２を経由するデータトラフィックに基づき確定されたＡＰ３３１＿２の負荷（平均負荷ともいう）と、ＡＰ３３１＿２の動作チャネルとを含む。
【００４５】
ＡＰ３３１＿２の低関連ＳＴＡリストに、デフォルト信号強度ＰよりＡＰ３３１＿２に現在接続されている信号強度の弱いＳＴＡが記録されている。仮に、ＡＰ３３１＿２に現在接続されているＳＴＡ３４０＿１１の信号強度はデフォルト信号強度Ｐ以上であれば、ＡＰ３３１＿２の低関連ＳＴＡリストは空である。一実施例として、ＡＰ３３１＿２に現在接続されているＳＴＡ３４０＿１１の信号強度がデフォルト信号強度Ｐより強いと、ＡＰ３３１＿２の低関連ＳＴＡリストは空である。
【００４６】
ＡＣ３１０は、ＷＬＡＮ内での各ＳＴＡについて、ＷＬＡＮ内でのＡＰ３３１＿１とＡＰ３３１＿２のそれぞれによって、該ＳＴＡの信号強度を検出する。ＳＴＡ３４０＿１を例にして、仮に、ＡＰ３３１＿１によって検出されたＳＴＡ３４０＿１の信号強度がＰ０であり、ＡＰ３３１＿２によって検出されたＳＴＡ３４０＿１の信号強度がＰ１であり、信号強度Ｐ０がデフォルト信号強度Ｐより弱く、信号強度Ｐ１がデフォルト信号強度Ｐより強いとする。ＡＣ３１０はＡＰ３３１＿２をＳＴＡ３４０＿１に関連するＡＰとしてＳＴＡ３４０＿１の関連ＡＰリストに記録する。なお、ＳＴＡ３４０＿１の関連ＡＰリストに記録されるＡＰ数Ｍは有限であり、例えばＭｍａｘ個に制限される。このように、Ｍｔ（ＭｔはＭｍａｘより大きい）個のＡＰによって検出されたＳＴＡ３４０＿１の信号強度がデフォルト信号強度Ｐより強いと、Ｍｔ個のＡＰを、検出された信号強度の大きい順に並び替え、序列での最初のＭｍａｘ個のＡＰを選択し、ＳＴＡ３４０＿１に関連するＡＰとしてＳＴＡ３４０＿１の関連ＡＰリストに記録する。しかし、ＭｔがＭｍａｘ以下であると、Ｍｔ個のＳＴＡをＳＴＡ３４０＿１の関連ＡＰリストに直接的に記録する。
【００４７】
同様に、ＡＣ３１０も、ＳＴＡ３４０＿２〜ＳＴＡ３４０＿１１の夫々に対する関連ＡＰリストを確定する。
【００４８】
若しＡＣ３１０は、ＡＰ３３１＿１が条件１「現在接続されているＳＴＡの総数が閾値（例えば９）より大きく、及び／又は負荷が設定負荷より大きい」を満たすことを検出した場合、引き続き、ＡＰ３３１＿１と隣接するＡＰ３３１＿２が条件２「ＡＰ３３１＿２に現在接続されているＳＴＡの総数が設定閾値（例えば９）より小さく、かつＡＰ３３１＿２の負荷が設定負荷より小さい」を満たすか否かを判断する。
【００４９】
前記のように、ＡＰ３３１＿２に現在接続されているＳＴＡの総数は１であり、設定閾値（例えば９）より遥かに小さい。このように、仮にＡＰ３３１＿２の負荷が設定負荷より小さいとすると、ＡＰ３３１＿２が前記条件２を満たしていると確定することができる。本実施例では、ＡＰ３３１＿２は条件２を満たしている。
【００５０】
ＡＣ３１０は、ＡＰ３３１＿１と隣接するＡＰ３３１＿２が条件２を満たしていると判断すると、ＡＰ３３１＿１に現在接続されている各ＳＴＡ（例えばＳＴＡ３４０＿１を例とする）について、以下の条件３が成立するか否かを判断する。
【００５１】
条件３は、ＳＴＡ３４０＿１がＡＰ３３１＿２の低関連ＳＴＡリストに存在しておらず、かつＳＴＡ３４０＿１の関連ＡＰリストにＡＰ３３１＿２が存在しているが、ＡＰ３３１＿１が存在しないことである。
【００５２】
前記のように、ＡＰ３３１＿２の低関連ＳＴＡリストは空であり、かつＳＴＡ３４０＿１の関連ＡＰリストにＡＰ３３１＿２を含むが、ＡＰ３３１＿１を含まない場合、前記条件３が成立することを意味する。本実施例では、前記条件３が成立しない場合については説明を省略する。
【００５３】
ここまで、ＳＴＡ３４０＿１がＡＰ３３１＿１からＡＰ３３１＿２にローミングする必要があると確定でき、且つたとえＳＴＡ３４０＿１がＡＰ３３１＿２にローミングしても、ＡＰ３３１＿２が前記条件１を満たさないと検出できる。そのため、ＡＣ３１０は、ＡＰ３３１＿１にＰＡＣＫＥＴ−Ａパケット（即ち前記第１のパケット）を送信する。そのうち、ＰＡＣＫＥＴ−Ａパケットは、ＡＰ３３１＿１からＡＰ３３１＿２にローミングする必要があるＳＴＡ３４０＿１の識別子と、チャネル切り替えセルとを載せるＰｒｏｂｅ−ｒｅｓｐｏｎｓｅパケットであってもよく、図４にこのセルの構成を例示する。ＡＰ３３１＿１は、ＳＴＡ３４０＿１にチャネル切替パケットを送信することで、ＳＴＡ３４０＿１のＡＰ３３１＿１の動作チャネルからＡＰ３３１＿２の動作チャネルへの切り替えを指示する。ＳＴＡ３４０＿１は、チャネル切替パケットを受信した後、チャネル切替パケットの指示によって、ＡＰ３３１＿１の動作チャネルからＡＰ３３１＿２の動作チャネルに切り替える操作を開始する。
【００５４】
Ｃ３１０は、更にＡＰ３３１＿２にＰＡＣＫＥＴ−Ｂパケット（前記第２のパケット）を送信する。そのうち、ＰＡＣＫＥＴ−Ｂパケットは、ＳＴＡ３４０＿１の識別子と、ＳＴＡ３４０＿１に関連するＢＳＳＩＤやＳＳＩＤと、ＡＰ３３１＿１の動作チャネルと、ＡＰ３３１＿２の動作チャネルとを載せるＣＡＰＷＡＰパケットであってもよい。ＡＰ３３１＿２は、ＰＡＣＫＥＴ−Ｂパケットを受信した後、ＰＡＣＫＥＴ−Ｂパケットから、「ＳＴＡ３４０＿１の識別子と、ＳＴＡ３４０＿１に関連するＢＳＳＩＤやＳＳＩＤと、ＡＰ３３１＿１の動作チャネルと、ＡＰ３３１＿２の動作チャネル」との項目を取得して記録し、そして項目におけるＢＳＳＩＤを使って、ＷＬＡＮ内でユニキャストフレームパケットを送信する。ＷＬＡＮ内でＳＴＡ３４０＿１以外の他のＳＴＡがユニキャストフレームパケットを受信した時、ＡＰ３３１＿２に前記ＳＳＩＤとの関連付けを要求する必要があると、ＡＰ３３１＿２はこの要求を拒否し、ＳＴＡ３４０＿１に前記ＳＳＩＤと関連付けのみを許可する。ＳＴＡ３４０＿１は、ユニキャストフレームパケットを受信した時に、前記ＡＰ３３１＿１の動作チャネルからＡＰ３３１＿２の動作チャネルに切り替える操作の途中で、前記ＳＳＩＤとの関連付けの操作を実行することができ、前記ＳＳＩＤとの関連付けに成功する。最終的に、ＳＴＡ３４０＿１のＡＰ３３１＿１の動作チャネルからＡＰ３３１＿２の動作チャネルへの切り替えを実現する。
【００５５】
なお、本実施例では、ＡＰ３３１＿１は、ＳＴＡ３４０＿１にチャネル切替パケットを送信した後、ローカルで記録されたＳＴＡ３４０＿１の動作状態を元の有効状態から無効状態に更新することで、現在ＳＴＡ３４０＿１が動作チャネルの切替処理の途中であるように指示する。
【００５６】
ＡＰ３３１＿１は、ローカルで記録されたＳＴＡ３４０＿１の動作状態を元の有効状態から無効状態に更新した後、一定の時間Ｔにおいて、ＳＴＡ３４０＿１によって送信されたデータを受信しておらず、ＡＣ３１０からＳＴＡ３４０＿１に送信されたデータをも受信しない場合、ＳＴＡ３４０＿１のＡＰ３３１＿１の動作チャネルからＡＰ３３１＿２の動作チャネルへの切り替えに成功したことを意味し、ＳＴＡ３４０＿１のローミングに成功したことに相当する。ＡＰ３３１＿１はローカルで記録されたＳＴＡ３４０＿１の動作状態を削除することができる。
【００５７】
ＡＰ３３１＿１は、ローカルで記録されたＳＴＡ３４０＿１の動作状態を元のアクティブ状態から無効状態に更新した後、一定の時間Ｔにおいて、ＳＴＡ３４０＿１によって送信されたデータ及び／又はＡＣ３１０からＳＴＡ３４０＿１に送信されたデータを受信した場合、ローカルで記録されたＳＴＡ３４０＿１の動作状態を無効状態から有効状態に復元することができ、ＳＴＡ３４０＿１のＡＰ３３１＿１の動作チャネルからＡＰ３３１＿２の動作チャネルへの切り替えを実行できないことを意味し、ＳＴＡ３４０＿１のローミングに失敗したことに相当する。
【００５８】
ＳＴＡ３４０＿１のＡＰ３３１＿１の動作チャネルからＡＰ３３１＿２の動作チャネルへの切り替えに成功し、ＳＴＡ３４０＿１のローミングに成功したことに相当する時に、ＡＣ３１０は、ＳＴＡ３４０＿１に関連するＢＳＳＩＤやＳＳＩＤによって、ＳＴＡ３４０＿１へのデータフローをＡＰ３３１＿２に送信することで、ＡＰ３３１＿２によりデータフローをＳＴＡ３４０＿１へ送信する。つまり、この時にＳＴＡ３４０＿１がすでにＡＰ３３１＿１の動作チャネルからＡＰ３３１＿２の動作チャネルに切り替わったので、ＡＰ３３１＿１は、ＳＴＡ３４０＿１へのデータフローを受信しておらず、ＳＴＡ３４０＿１から送信されるデータフローも受信しない。
【００５９】
以上、本実施例についての説明が終了した。
【００６０】
前記実施例から分かるように、ＳＴＡ３４０＿１をＡＰ３３１＿１の動作チャネルからＡＰ３３１＿２の動作チャネルに切り替えることで、ＳＴＡ３４０＿１のＡＰ３３１＿１からＡＰ３３１＿２へのローミングを実現し、ＡＰ３３１＿１の負荷を効果的に低減するとともに、ＳＴＡ３４０＿１の信号強度も高めることができる。
【００６１】
以上、本願に係る方法について説明した。以下、本願に係る装置について説明する。
【００６２】
図５を参照すると、図５は本願に係るＳＴＡのローミングを実現する装置の構成図である。ＡＣに適用可能な該装置は、第１のアクセスポイントＡＰに現在接続されているＳＴＡから第２のＡＰにローミングされる目標ＳＴＡを選出するための選択モジュール５１０と、前記目標ＳＴＡの前記第１のＡＰから第２のＡＰへのローミングを実現するように、前記目標ＳＴＡを制御して第１のＡＰの動作チャネルから第２のＡＰの動作チャネルへ切り替えさせるための制御モジュール５２０と、を備える。
【００６３】
一実施例として、前記選択モジュール５１０が、第１のアクセスポイントＡＰに現在接続されているＳＴＡから第２のＡＰにローミングされる目標ＳＴＡを選出することは、第１のＡＰが第１の条件を満たし、かつ第１のＡＰと隣接する第２のＡＰが第２の条件を満たすと検出した場合、第１のＡＰに現在接続されているＳＴＡから第２のＡＰにローミングされる目標ＳＴＡを選出することを含む。前記第１の条件は、第１のＡＰに現在接続されているＳＴＡの数が設定閾値より大きいこと及び／又は第１のＡＰの現在の平均負荷が設定負荷より大きいことである。前記第２の条件は、第２のＡＰに現在接続されているＳＴＡの数が設定閾値より小さく、且つ第２のＡＰの現在の平均負荷が設定負荷より小さいことである。
【００６４】
一実施例として、この装置は、ＡＰによって送信された無線リソース管理ＲＲＭ情報に基づいてこのＡＰの低関連ＳＴＡリストを確定するとともにＡＰによって検出されたＳＴＡの信号強度に基づいてこのＳＴＡの関連ＡＰリストを確定するためのリスト処理モジュール５３０をさらに備える。そのうち、ＡＰの低関連ＳＴＡリストに、デフォルト信号強度ＰよりもＡＰに現在接続されている信号強度の弱いＳＴＡを記録しており、かつＡＰの低関連ＳＴＡリストに記録されているＳＴＡの数Ｎの最大値が指定値Ｎｍａｘである。そして、ＳＴＡの関連ＡＰリストに、このＳＴＡの信号強度がデフォルト信号強度Ｐよりも強いと検出したＡＰを記録しており、かつＳＴＡの関連ＡＰリストに記録されているＡＰの数Ｍの最大値が指定値Ｍｍａｘである。
【００６５】
これに基づいて、前記選択モジュール５１０が、第１のＡＰに現在接続されているＳＴＡから第２のＡＰにローミングされる目標ＳＴＡを選出することは、第１のＡＰに現在接続されているＳＴＡが第２のＡＰの低関連ＳＴＡリストに存在しておらず、かつこのＳＴＡの関連ＡＰリストに第２のＡＰが存在しているが、第１のＡＰが存在しない場合、このＳＴＡが第１のＡＰから第２のＡＰにローミングされる目標ＳＴＡであると確定することを含む。
【００６６】
一実施例として、前記制御モジュール５２０が目標ＳＴＡを制御して第１のＡＰの動作チャネルから第２のＡＰの動作チャネルへ切り替えさせることは、第２のＡＰに現在接続され且つＡＣに認証されたＳＴＡの数が設定閾値と１との差より小さく、かつ第２のＡＰの現在の平均負荷が設定負荷とこの目標ＳＴＡの負荷との差より小さいと検出した場合、目標ＳＴＡを制御して第１のＡＰの動作チャネルから第２のＡＰの動作チャネルへ切り替えさせることを含む。
【００６７】
一実施例として、前記制御モジュール５２０が目標ＳＴＡを制御して第１のＡＰの動作チャネルから第２のＡＰの動作チャネルへ切り替えさせることは、第１のＡＰが目標ＳＴＡに指示して第１の動作チャネルから第２の動作チャネルへ切り替えるように、第１のＡＰに第１のパケットを送信することと、第２のＡＰに第２のパケットを送信することで、第２のＡＰに、第２のパケットに載せられた目標ＳＴＡに関連するサービスセット識別子ＳＳＩＤと、目標ＳＴＡが現在接続している第１のＡＰの識別子と、目標ＳＴＡが接続しようとする第２のＡＰの識別子とによって、目標ＳＴＡが第１のＡＰの動作チャネルから本第２のＡＰの動作チャネルへ切り替えることを受け入れさせることと、を含む。
【００６８】
ここまで、図５に示す装置についての説明が完成した。
【００６９】
相応的に、本願では、図５に示すＳＴＡのローミングを実現する装置のハードウェア構成の模式図を提供する。図６に示すように、この装置は、機械可読記憶媒体６１０と、プロセッサ６２０とを含む。機械可読記憶媒体６１０とプロセッサ６２０は、システムバス６３０を介して通信することができる。
【００７０】
そのうち、機械可読記憶媒体６１０に、機械実行可能な命令を記憶しており、具体的に、前記の選択モジュール５１０と、制御モジュール５２０と、リスト処理モジュール５３０とによって実行される操作に対応する機械実行可能な命令を記憶している。
【００７１】
プロセッサ６２０は、機械実行可能な命令をロードして実行することで、第１のＡＰに現在接続されているＳＴＡから第２のＡＰにローミングされる目標ＳＴＡを選出し、前記目標ＳＴＡを第１のＡＰから第２のＡＰへローミングさせるように、前記目標ＳＴＡを制御して第１のＡＰの動作チャネルから第２のＡＰの動作チャネルへ切り替えさせるために用いられる。
【００７２】
一実施例として、機械可読記憶媒体は、いかなる電子、磁気、光または他の物理記憶装置であってもよく、例えば実行可能な命令やデータなどの情報を包含または記憶できる。例えば、機械可読記憶媒体６１０は、揮発性メモリ、不揮発性メモリ、又は類似する記憶媒体であってもよい。例えば、機械可読記憶媒体６１０は、ＲＡＭ（ＲａｄｏｍＡｃｃｅｓｓＭｅｍｏｒｙ、ランダムアクセスメモリ）や、フラッシュメモリ、記憶ドライバー（ハードディスクドライバー）、ソリッドステートハードディスク、いかなるタイプのメモリディスク（例えば光ディスクやｄｖｄなど）、又はそれらの組合せであってもよい。
【００７３】
ここまで、図６に示すハードウェア構成についての説明は終了した。
【００７４】
本願は、機械可読記憶媒体６１０をさらに提供する。機械可読記憶  媒体６１０に機械実行可能な命令を記憶している。該機械実行可能な命令は、プロセッサ６２０によって呼び出され実行されると、プロセッサ６２０に、第１のＡＰに現在接続されているＳＴＡから第２のＡＰにローミングされる目標ＳＴＡを選出すること及び前記目標ＳＴＡを制御して第１のＡＰの動作チャネルから第２のＡＰの動作チャネルへ切り替えさせることを実行させることで、前記目標ＳＴＡの第１のＡＰから第２のＡＰへのローミングを効果的に実現する。
【００７５】
以上の説明は、本願における好ましい実施例に過ぎず、本願を限定するものではなく、本発明の主旨及び原則内で行われるいかなる修正、等価代替、改良などは、いずれも本願の保護範囲内に含まれるべきである。
【図１】
0006974603.tif 000003
【図２Ａ】
0006974603.tif 000004
【図２Ｂ】
0006974603.tif 000005
【図２Ｃ】
0006974603.tif 000006
【図３】
0006974603.tif 000007
【図４】
0006974603.tif 000008
【図５】
0006974603.tif 000009
【図６】
0006974603.tif 000010